(57)【要約】【課題】リンク結合による直線的な伸縮機能を有効に活用してなる伸縮型ヒンジ装置、及びこのヒンジ装置を用いて前扉を遊技機本体からその前面外側へ変位させるようにした遊技機を提供する。【解決手段】上側ヒンジ装置４００の基体４１０は、左右両側フランジ４１２、４１３にて左側に傾斜するように板状本体枠２１０の左側縁部の前面上端部に支持されている。結合部材４２０は、板状前枠３１０の左側縁部の上端部上に突設してなる上端軸３１３に回動自在に嵌装されている。リンク部材４３０は、基体４１０に軸４３４を介し回動自在に連結されている。リンク部材４４０は、リンク部材４３０と結合部材４２０との間に両連結軸４４３、４４４を介し回動自在に連結されている。ロック機構４６０は、基体４１０のＵ字体４１１に支持されており、結合部材４２０を連結軸４４４にて基体４１０にロックする。【選択図】図３
2008049001.tif 000002
【特許請求の範囲】
【請求項１】
立設される装着体に対しその前面側から開閉体を開閉可能に支持するために適用される伸縮型ヒンジ装置であって、
前記装着体の一側縁部にその前面上部にて取り付けられる基体と、
前記装着体の一側縁部に対する前記開閉体の対応縁部側の上部に前記開閉体の開閉方向へ相対回動可能に結合される結合部材と、
前記基体に上下方向に回動可能に連結される第１リンク部材と、
前記結合部材と前記第１リンク部材との間に上下方向に回動可能に連結される第２リンク部材と、
前記基体の上端部に設けられて前記開閉体の対応縁部を前記装着体の一側縁部に沿うように位置させたとき前記結合部材及び前記第２リンク部材の一方を前記基体にロックし、前記開閉体の対応縁部を前記装着体の一側縁部から離れるように変位させるとき前記結合部材及び前記第２リンク部材の一方の前記基体に対するロックを解除する基体側ロック手段とを備える伸縮型ヒンジ装置。
【請求項２】
前記第１及び第２のリンク部材を互いに下方に向け離れる方向に回動するように付勢する回動方向付勢手段を備えることを特徴とする請求項１に記載の伸縮型ヒンジ装置。
【請求項３】
前記開閉体の回動方向に回動可能となるように前記結合部材に支持されて当該結合部材を前記開閉体の対応縁部側の上部に相対回動可能にロックする結合部材側ロック手段を備えることを特徴とする請求項１または２に記載の伸縮型ヒンジ装置。
【請求項４】
前記基体は、
連結壁部から両側壁部を延出させてＵ字状に構成する基体本体と、前記両側壁部の少なくとも一方の延出端部から外方に向けて延出する取り付け部材とを備えて、
前記基体本体がその両側壁部にて前記取り付け部材に対し前記装着体の一側縁部側へ傾斜するように、前記両側壁部のうち前記装着体の一側縁部側の壁部は、残りの壁部よりも短く延出されており、
前記第１リンク部材は、両側壁部を連結壁部から延出させてＵ字体として構成されており、
当該Ｕ字体は、その両側壁部の一側両端部にて、前記基体本体の両側壁部に上下方向に回動可能に連結されていることを特徴とする請求項１〜３のいずれか１つに記載の伸縮型ヒンジ装置。
【請求項５】
前記結合部材は、その一側端部にて、前記開閉体の対応縁部側の上部に前記開閉体の開閉方向へ相対回動可能に結合されており、
前記第２リンク部材は、両側壁部を連結壁部から延出させてＵ字体として構成されており、
当該Ｕ字体は、その両側壁部の一側端部及び他側端部にて、それぞれ、第１連結軸及び第２連結軸を介し、前記結合部材の他側端部及び前記第１リンク部材のＵ字体の他側両端部に上下方向に回動可能に連結されており、
前記基体側ロック手段は、前記基体に対する前記結合部材のロックを、前記第１連結軸をロックすることで行い、前記結合部材の前記基体からのロックの解除を、前記第１連結軸のロックを解除することで行うことを特徴とする請求項４に記載の伸縮型ヒンジ装置。
【請求項６】
前記基体本体は、その両側壁部から上方へ延出されて前方に向けて開口するように凹部を形成してなる各延出壁部を設けてなり、
前記基体側ロック手段は、
前記基体本体の各延出壁部の後部に支持軸を介し回動可能に支持される両側壁部と当該両側壁部の各上部間に連結される連結壁部とでもってＵ字状に構成してなるロック本体と、
当該ロック本体をその連結壁部にて前記基体本体の各延出壁部の前部上に当接させるように付勢するロック本体付勢手段とを備えて、
前記ロック本体の両側壁部の少なくとも一方の壁部は、爪部を、当該ロック本体の連結壁部の下側にて、前方に向けて延出させてなり、
前記爪部は、前記各延出壁部の凹部との間にて、前記第１連結軸を脱出不能に挟持するように、下方に向けて開口する凹部を形成してなることを特徴とする請求項５に記載の伸縮型ヒンジ装置。
【請求項７】
前記結合部材は、
前記第２リンク部材のＵ字体の左右両壁部の一側両端部に前記第１連結軸を介し上下方向に回動可能に結合される両側壁部を連結壁部から延出させてＵ字状に構成してなる結合本体と、
この結合本体の連結壁部の上端部から前記開閉体の対応縁部側の上部に相対回動可能に結合されるように延出する結合片とを備えることを特徴とする請求項５または６に記載の伸縮型ヒンジ装置。
【請求項８】
前記開閉体の対応縁部側の上部は、その上端面から上方に向け突出する上端軸であってその軸方向中間部位にて小径部を形成してなる上端軸を設けてなり、
前記結合部材側ロック手段は、
前記結合片の長手方向中間部位にこの結合片に沿い回動可能に支持されるロック片と、このロック片の幅方向一側縁部の中間部位から前記結合片側に向けてＬ字状に延出する摘み部とを備えて、
前記上端軸の小径部に係合するように開口する凹部を前記ロック片の幅方向他側縁部に形成してなることを特徴とする請求項７に記載の伸縮型ヒンジ装置。
【請求項９】
立設される本体枠に遊技盤を組み付けてなる遊技機本体と、前記本体枠に上下両側のヒンジ装置により開閉可能に支持される板状前枠及びこの板状前枠の開口部にその裏面側から組み付けたガラスを有する前扉とを備えてなる遊技機において、
前記遊技機本体及び前記前扉は、それぞれ、請求項１〜８のいずれか１つに記載の装着体及び開閉体であり、
前記上側ヒンジ装置は、請求項１〜８のいずれか１つに記載の伸縮型ヒンジ装置であり、
前記基体は、前記本体枠の一側縁部側の前面上部に取り付けられており、
前記結合部材は、前記前扉の対応縁部側の上部に結合されて、当該前扉に対しその開閉方向に相対回動可能となっており、
前記下側ヒンジ装置は、
前記本体枠の一側縁部側の前面下部に前方へ突設してなる突設部と前記板状前枠の対応縁部側の下部との双方の一方及び他方にそれぞれ設けられた受承部及び被受承部を備えて、
当該被受承部は、前記受承部により回動可能にかつ傾動可能に受承されていることを特徴とする遊技機。
【請求項１０】
前記下側ヒンジ装置は、前記板状前枠の対応縁部側の下部に向けて開口するように凹部を前記受承体として前記突設部に形成し、前記板状前枠の対応縁部の下部から前記突設部に向けて延出されて前記凹部内に回動可能にかつ傾動可能に受承されるロッド部を前記被受承部として備えることを特徴とする請求項９に記載の遊技機。
【請求項１１】
前記下側ヒンジ装置は、前記突設部に向けて開口するように凹部を前記板状前枠の対応縁部の下部に前記被受承部として形成し、前記突設部から前記凹部に向けて延出されて当該凹部を回動可能にかつ傾動可能に受承するロッド部を前記受承部として備えることを特徴とする請求項９に記載の遊技機。
【発明の詳細な説明】
【技術分野】
【０００１】
本発明は、伸縮型ヒンジ装置及びこのヒンジ装置を用いてなるパチンコ遊技機等の遊技機に関する。
【背景技術】
【０００２】
従来、この種の遊技機においては、下記特許文献１に開示されたパチンコ遊技機がある。このパチンコ遊技機においては、ガラス枠を介しガラスを装着してなる前面枠が、遊技盤等を組み付けた本体枠に対し、両迫り出しヒンジを軸として、開閉可能に連結されている。
【０００３】
ここで、上下それぞれの迫り出しヒンジは、主たる構成部材であるＬ字板を本体枠の側壁に固定部材を介し揺動自在に連結しかつ当該Ｌ字板を本体枠の上記側壁の面からこれに対向する方向に変位させつつ上記側壁の面に沿う方向に変位させるようなヒンジ装置でもって構成されている。これにより、各迫り出しヒンジは、本体枠の上記側壁の面に沿う方向において当該本体枠と前面枠との間に間隙を形成するようになっている。
【特許文献１】特開平０７−１７８２２７号公報
【発明の開示】
【発明が解決しようとする課題】
【０００４】
しかしながら、上述したパチンコ遊技機においては、迫り出しヒンジは、上述のようにＬ字板を２次元的に変位させるようなヒンジ装置でもって構成されていることから、前面枠と本体枠との間に間隙を形成し得るとしても、迫り出しヒンジが非常に複雑な構成になるという不具合がある。
【０００５】
また、最近の遊技盤の盤面の拡大傾向からすると、本体枠のメンテナンスは、特に、遊技盤の近傍部位において容易に行えればよい。従って、２つの迫り出しヒンジのうち下側のものは、迫り出しヒンジのような機能を有するヒンジでなく、もっと簡単な構成のもので十分である。この点で、上述のような複雑な構成の迫り出しヒンジを２つ採用するということは、当該パチンコ遊技機の構成がより一層複雑になるという不具合を招く。
【０００６】
また、当該パチンコ遊技機によれば、上記間隙は、上下両側の迫り出しヒンジにより、本体枠と前面枠との間において本体枠の上記側壁の面に沿う方向に形成される。従って、最近の遊技盤の盤面の拡大傾向からすれば、当該パチンコ遊技機の構成上、上記間隙が狭いと、遊技盤の盤面のうち迫り出しヒンジ側部位の清掃や釘の調整等が前面枠に邪魔されて行い難いという不具合がある。
【０００７】
そこで、本発明は、以上のようなことに対処するため、リンク結合による直線的な伸縮機能を有効に活用してなる伸縮型ヒンジ装置、及びこのヒンジ装置を用いて前扉を遊技機本体からその前面外側へ変位させるようにした遊技機を提供することを目的とする。
【課題を解決するための手段】
【０００８】
上記課題の解決にあたり、本発明に係る伸縮型ヒンジ装置は、請求項１の記載によれば、
立設される装着体（２００）に対しその前面側から開閉体（３００）を開閉可能に支持するために適用される。
【０００９】
当該伸縮型ヒンジ装置は、
装着体の一側縁部にその前面上部にて取り付けられる基体（４１０）と、
装着体の一側縁部に対する開閉体の対応縁部側の上部（３１３）に開閉体の開閉方向へ相対回動可能に結合される結合部材（４２０）と、
基体に上下方向に回動可能に連結される第１リンク部材（４３０）と、
結合部材と第１リンク部材との間に上下方向に回動可能に連結される第２リンク部材（４４０）と、
基体の上端部に設けられて開閉体の対応縁部を装着体の一側縁部に沿うように位置させたとき結合部材及び第２リンク部材の一方を基体にロックし、開閉体の対応縁部を装着体の一側縁部から離れるように変位させるとき結合部材及び第２リンク部材の一方の基体に対するロックを解除する基体側ロック手段（４６０）とを備える。
【００１０】
これによれば、当該伸縮型ヒンジ装置において、第１リンク部材は基体に対し上下方向に回動可能に連結され、第２リンク部材は、結合部材と第１リンク部材との間に上下方向に回動可能に連結されている。
【００１１】
従って、基体を装着体の一側縁部にその前面上部にて取り付け、かつ結合部材を、装着体の一側縁部に対する開閉体の対応縁部側の上部に開閉体の開閉方向へ相対回動可能に結合すれば、当該開閉体は、当該伸縮型ヒンジ装置でもって、装着体に開閉可能に支持される。
【００１２】
ここで、結合部材及び第２リンク部材の一方が基体側ロック手段によって基体にロックされていれば、第１及び第２のリンク部材は基体に対し折り重なった状態に保持される。このとき、開閉体は、上記対応側縁部にて、装着体の一側縁部に沿うように位置することで、装着体に対し開閉可能となる。
【００１３】
このような状態にて、基体側ロック手段による結合部材及び第２リンク部材の一方の基体に対するロックを解除し、開閉体を装着体から離せば、結合部材が基体から離れる方向へ直線的に変位し、第１リンク部材及び第２リンク部材が結合部材と基体との間にて直線状に並ぶように回動する。一方、開閉体を上記対応側縁部にて装着体の一側縁部に近づければ、結合部材が基体に向けて直線的に変位し、第１リンク部材及び第２リンク部材が結合部材と基体との間にて基体に折り重なる状態となるように回動する。
【００１４】
換言すれば、当該伸縮型ヒンジ装置は、結合部材の直線的変位方向に伸長或いは短縮することで、開閉体の上記対応側縁部と装着体の一側縁部との間に間隙を形成し或いはこの間隙をなくし得る。このような作用効果は、当該伸縮型ヒンジ装置を、結合部材、基体、第１及び第２のリンク部材でもって上述のように構成することで達成され得る。その結果、当該伸縮型ヒンジ装置は非常に簡単な構成でもって提供され得る。
【００１５】
また、上述のように、開閉体の上記対応側縁部と装着体の一側縁部との間に間隙を形成するようにすれば、装着体の一側縁部近傍における部品の取り付けや清掃が容易になされ得る。
【００１６】
また、本発明は、請求項２の記載によれば、請求項１に記載の伸縮型ヒンジ装置において、第１及び第２のリンク部材を互いに下方に向け離れる方向に回動するように付勢する回動方向付勢手段（４５０）を備えることを特徴とする。
【００１７】
これによれば、結合部材を基体に向けて変位させるとき、第１リンク部材は、回動方向付勢手段により、結合部材の基体に向かう変位と相俟って、基体側へ下方に向けて回動するように押動される。従って、当該伸縮型ヒンジ装置を確実に短縮させることができ、その結果、請求項１に記載の発明の作用効果がより一層確実に達成され得る。
【００１８】
また、本発明は、請求項３の記載によれば、請求項１または２に記載の伸縮型ヒンジ装置において、開閉体の回動方向に回動可能となるように結合部材に支持されて当該結合部材を開閉体の対応縁部側の上部に相対回動可能にロックする結合部材側ロック手段（４７０）を備えることを特徴とする。
【００１９】
このように、結合部材側ロック手段でもって、結合部材を開閉体の対応縁部側の上部に相対回動可能にロックすることにより、結合部材と開閉体との間の回動可能な結合がより一層完全に確保され得る。その結果、請求項１または２に記載の発明がより一層向上され得る。
【００２０】
また、本発明は、請求項４の記載によれば、請求項１〜３のいずれか１つに記載の伸縮型ヒンジ装置において、
基体は、
連結壁部（４１１ａ）から両側壁部（４１１ｂ、４１１ｃ）を延出させてＵ字状に構成する基体本体（４１１）と、上記両側壁部の少なくとも一方の延出端部から外方に向けて延出する取り付け部材（４１２、４１３）とを備えて、
基体本体がその両側壁部にて取り付け部材に対し装着体の一側縁部側へ傾斜するように、上記両側壁部のうち装着体の一側縁部側の壁部（４１１ｂ）は、残りの壁部（４１１ｃ）よりも短く延出されており、
第１リンク部材は、両側壁部（４３２）を連結壁部（４３１）から延出させてＵ字体（４３０ａ）として構成されており、
当該Ｕ字体は、その両側壁部の一側両端部（４３２ａ）にて、基体本体の両側壁部に上下方向に回動可能に連結されている。
【００２１】
これにより、結合部材を基体から離れる方向に直線的に変位させるとき、当該結合部材は、第１及び第２のリンク部材と共に、前方に向け装着体の一側縁部の外側へ傾斜しながら直線的に変位する。
【００２２】
このため、装着体の一側縁部と開閉体の対応側縁部との間の隙間が装着体の一側縁部の外側に向けて形成されてさらに拡大される。その結果、請求項１〜３のいずれか１つに記載の発明の作用効果を達成するにあたり、装着体の一側縁部近傍における部品の取り付けや清掃がより一層容易になされ得る。
【００２３】
また、本発明は、請求項５の記載によれば、請求項４に記載の伸縮型ヒンジ装置において、
結合部材は、その一側端部（４２２）にて、開閉体の対応縁部側の上部（３１３）に開閉体の開閉方向へ相対回動可能に結合されており、
第２リンク部材は、両側壁部（４４２）を連結壁部（４４１）から延出させてＵ字体（４４０ａ）として構成されており、
当該Ｕ字体は、その両側壁部の一側端部（４４２ｂ）及び他側端部（４４２ａ）にて、それぞれ、第１連結軸（４４４）及び第２連結軸（４４３）を介し、結合部材の他側端部（４２１）及び第１リンク部材のＵ字体の他側両端部（４３３）に上下方向に回動可能に連結されており、
基体側ロック手段は、基体に対する結合部材のロックを、第１連結軸をロックすることで行い、結合部材の基体からのロックの解除を、第１連結軸のロックを解除することで行うことを特徴とする。
【００２４】
このように構成することで、請求項４に記載の発明の作用効果がより一層確実に達成され得る。なお、第２リンク部材が上述の第１リンク部材と共にＵ字体として構成されていることから、当該ヒンジ装置の強度がより一層向上され得る。
【００２５】
また、本発明は、請求項６の記載によれば、請求項５に記載の伸縮型ヒンジ装置において、
基体本体は、その両側壁部から上方へ延出されて前方に向けて開口するように凹部（４３５ａ）を形成してなる各延出壁部（４３５）を設けてなり、
基体側ロック手段は、
基体本体の各延出壁部の後部に支持軸（４６３）を介し回動可能に支持される両側壁部（４６１ｂ）と当該両側壁部の各上部間に連結される連結壁部（４６１ａ）とでもってＵ字状に構成してなるロック本体（４６１）と、
当該ロック本体をその連結壁部にて基体本体の各延出壁部の前部上に当接させるように付勢するロック本体付勢手段（４６２）とを備えて、
ロック本体の両側壁部の少なくとも一方の壁部は、爪部（４６１ｄ）を、当該ロック本体の連結壁部の下側にて、前方に向けて延出させてなり、
爪部は、上記各延出壁部の凹部との間にて、第１連結軸を脱出不能に挟持するように、下方に向けて開口する凹部（４６１ｅ）を形成してなることを特徴とする。
【００２６】
これにより、ロック本体付勢手段は、ロック本体の爪部により、その凹部でもって、基体本体の各延出壁部の凹部との間にて、第１連結軸を脱出不能に挟持するように構成される。その結果、請求項５に記載の発明の作用効果の達成にあたり、ロック本体付勢手段による第１連結軸のロックがより一層確実になされ得る。
【００２７】
また、本発明は、請求項７の記載によれば、請求項５または６に記載の伸縮型ヒンジ装置において、
結合部材は、
第２リンク部材のＵ字体の左右両壁部の一側両端部に第１連結軸を介し上下方向に回動可能に結合される両側壁部（４２１ｂ）を連結壁部（４２１ａ）から延出させてＵ字状に構成してなる結合本体（４２１）と、
この結合本体の連結壁部の上端部から開閉体の対応縁部側の上部に相対回動可能に結合されるように延出する結合片（４２２）とを備えることを特徴とする。
【００２８】
これによっても、請求項５または６に記載の発明と同様の作用効果が達成され得る。
【００２９】
また、本発明は、請求項８の記載によれば、請求項７に記載の伸縮型ヒンジ装置において、
開閉体の対応縁部側の上部は、その上端面から上方に向け突出する上端軸であってその軸方向中間部位にて小径部（３１３ａ）を形成してなる上端軸（３１３）を設けてなり、
結合部材側ロック手段は、
結合片の長手方向中間部位にこの結合片に沿い回動可能に支持されるロック片（４７１）と、このロック片の幅方向一側縁部の中間部位から結合片側に向けてＬ字状に延出する摘み部（４７２）とを備えて、
上端軸の小径部に係合するように開口する凹部（４７１ａ）をロック片の幅方向他側縁部に形成してなることを特徴とする。
【００３０】
これによれば、結合部材側ロック手段のロック片の凹部を上端軸の小径部に係合させることで、結合部材の結合片と開閉体の上端軸との間の回動可能な結合をより一層確実にしつつ、請求項７に記載の発明と同様の作用効果を達成し得る。
【００３１】
また、上記構成の結合部材側ロック手段によれば、摘み部を摘んでロック片を移動させることで、結合片に沿うロック片の回動が容易になされる。
【００３２】
また、本発明に係る遊技機は、請求項９の記載によれば、
立設される本体枠（２１０）に遊技盤（２２０）を組み付けてなる遊技機本体（２００）と、本体枠に上下両側のヒンジ装置（４００、５００）により開閉可能に支持される板状前枠（３１０）及びこの板状前枠の開口部（３１１）にその裏面側から組み付けたガラス（３２０）を有する前扉（３００）とを備える。
【００３３】
当該遊技機において、
遊技機本体及び前扉は、それぞれ、請求項１〜８のいずれか１つに記載の装着体及び開閉体であり、
上側ヒンジ装置（４００）は、請求項１〜８のいずれか１つに記載の伸縮型ヒンジ装置であり、
基体は、本体枠の一側縁部側の前面上部に取り付けられており、
結合部材は、前扉の対応縁部側の上部に結合されて、当該前扉に対しその開閉方向に相対回動可能となっており、
下側ヒンジ装置（５００）は、
本体枠の一側縁部側の前面下部に前方へ突設してなる突設部（５０１ａ）と板状前枠の対応縁部側の下部との双方の一方及び他方にそれぞれ設けられた受承部（５０１）及び被受承部（５０２）を備えて、
当該被受承部は、受承部により回動可能にかつ傾動可能に受承されていることを特徴とする。
【００３４】
これによれば、当該遊技機において、前扉が、上下両側ヒンジ装置でもって、遊技機本体に対しその前面側から開閉可能に支持される。
【００３５】
ここで、下側ヒンジ装置は、上側ヒンジ装置である請求項１〜８のいずれか１つに記載の伸縮型ヒンジ装置や本明細書の発明の解決課題の欄にて述べた従来のヒンジ装置とは異なり、上述のごとく、本体枠の一側縁部側の前面下部に前方へ突設してなる突設部と板状前枠の対応縁部側の下部との双方の一方及び他方にそれぞれ設けられた受承部及び被受承部を備えて、当該被受承部は、受承部により回動可能にかつ傾動可能に受承されるように構成されている。
【００３６】
従って、当該下側ヒンジ装置は、非常に簡単な構成部材でもって構成される。その結果、当該遊技機において、前扉を遊技機本体に開閉可能に支持するヒンジ構造、ひいては当該遊技機の構成が簡単になる。
【００３７】
また、下側ヒンジ装置の構成と相俟って、上述のような構成の上側ヒンジ装置を採用することで、請求項１〜８のいずれか１つに記載の発明の作用効果を達成し得る遊技機の提供が可能となる。
【００３８】
例えば、上記下側ヒンジ装置及び請求項４に記載の伸縮型ヒンジ装置によれば、前扉の開状態にて結合部材の基体に対するロックを解除すると、伸縮型ヒンジ装置の結合部材、第１及び第２のリンク部材は、基体から前方へ本体枠の一側縁部よりも外側へ傾斜しつつ直線的に変位し、下側ヒンジ装置は、上述の被受承部材及び受承体でもって、傾動する板状前枠の一側縁部の下部を受承する。
【００３９】
このため、本体枠の一側縁部と板状前枠の上記対応側縁部との間の隙間が本体枠の一側縁部の外側に向けて拡大形成される。その結果、遊技機本体の一側縁部近傍における清掃や釘の調整等の作業がより一層容易になされ得る。
【００４０】
また、請求項１に記載の伸縮型ヒンジ装置の基体側ロック手段でもって結合部材を基体にロックすることで、前扉は、伸縮型ヒンジ装置の短縮状態のもとに、その対応側縁部側の上部を基準として、適正に開閉可能に維持され得る。従って、例えば、遊技盤の盤面上で遊技球が詰まったときには、上述のような結合部材の基体に対するロック状態のままにて、前扉を開くことで、詰まった遊技球の除去が可能となる。
【００４１】
また、本発明は、請求項１０の記載によれば、請求項９に記載の遊技機において、
下側ヒンジ装置は、板状前枠の対応縁部側の下部に向けて開口するように凹部を受承体として突設部に形成し、板状前枠の対応縁部の下部から突設部に向けて延出されて凹部内に回動可能にかつ傾動可能に受承されるロッド部を被受承部として備えることを特徴とする。
【００４２】
このように下側ヒンジ装置を構成しても、請求項９に記載の発明の作用効果が達成され得る。
【００４３】
また、本発明は、請求項１１の記載によれば、請求項９に記載の遊技機において、
下側ヒンジ装置は、突設部に向けて開口するように凹部を板状前枠の対応縁部の下部に被受承部として形成し、突設部から凹部に向けて延出されて当該凹部を回動可能にかつ傾動可能に受承するロッド部を受承部として備えることを特徴とする。
【００４４】
このように下側ヒンジ装置を構成しても、請求項９に記載の発明の作用効果が達成され得る。
【００４５】
なお、上記各手段の括弧内の符号は、後述する各実施形態に記載の具体的手段との対応関係を示す。
【発明を実施するための最良の形態】
【００４６】
以下、本発明の一実施形態を図面により説明する。
【００４７】
図１及び図２は、本発明を適用してなるパチンコ遊技機の一実施形態を示している。このパチンコ遊技機は、パチンコホール内の島に他のパチンコ遊技機と共に立設されており、当該パチンコ遊技機は、図１或いは図２にて示すごとく、四角環状の基枠１００と、この基枠１００に支持される遊技機本体２００と、この遊技機本体２００に支持される前扉３００とを備えている。なお、図１及び図２において、紙面に向かって当該紙面の左側及び右側が当該パチンコ遊技機の左側及び右側に対応する。また、当該紙面の前後両側及び上下両側が当該パチンコ遊技機の前後両側及び上下両側に対応する。
【００４８】
遊技機本体２００は、図２にて示すごとく、板状本体枠２１０と、この板状本体枠２１０により支持される遊技盤２２０と、遊技球発射装置２３０とを備えている。
【００４９】
板状本体枠２１０は、その左側縁部にて、上下両側ヒンジ部材１１０により、基枠１００の左側縁部に前後方向に開閉可能に支持されている（図１及び図２参照）。この板状本体枠２１０は、その中央部にて、遊技盤２２０のための中央穴部２１１を形成してなるもので、当該板状本体枠２１０には、３つの突体２１２〜２１４が、図２にて示すごとく、前方へ直方体状に突出形成されている。
【００５０】
本実施形態では、両突体２１２、２１３が、中央穴部２１１の上部左右両側に位置しており、突体２１４が、中央穴部２１１の下部左側に位置している。なお、板状本体枠２１０は、通常、樹脂製のものであることから、各突体２１２〜２１４は、板状本体枠２１０の樹脂成形の際に一体に形成されている。従って、各突体２１２〜２１４は、断面コ字状となっていてもよく、角柱状となっていてもよい。また、各突体２１２〜２１４は、板状本体枠２１０とは別体であってもよい。
【００５１】
突体２１２は、図２及び図３にて示すごとく、長楕円状貫通穴部２１２ａを備えており、この長楕円状貫通穴部２１２ａは、突体２１２の右側下端部にて、上下方向に長手状に開口するように当該突体２１２の前面から奥側に向けて形成されている。また、突体２１３は、図２にて示すごとく、長楕円状貫通穴部２１３ａを備えており、この長楕円状貫通穴部２１３ａは、突体２１３の左側下端部にて、上下方向に長手状に開口するように当該突体２１３の前面から奥側に向けて形成されている。
【００５２】
また、突体２１４は、図２にて示すごとく、長楕円状貫通穴部２１４ａを備えており、この長楕円状貫通穴部２１４ａは、突体２１４の右側上端部にて、上下方向に長手状に開口するように当該突体２１４の前面から奥側に向けて形成されている。本実施形態では、上述した各長楕円状貫通穴部２１２ａ〜２１４ａの開口部は、その開口面から奥側に向けて末すぼまり状となるよう断面傾斜状に形成されている。
【００５３】
遊技盤２２０は、略円形状の盤本体２２１を有しており、この盤本体２２１は、板状本体枠２１０の円形状中央穴部２１１にその前側から嵌装されている（図２参照）。本実施形態では、表示パネル２２２（後述する）の表示面及び盤本体２２１の盤面２２１ａを可能な限り広くしたいという近年の要請を満たすため、盤本体２２１の外径は、板状本体枠２１０の左右方向幅よりも幾分小さい程度となるように、大きく、選定されている。
【００５４】
また、当該遊技盤２２０は、上記表示パネル２２２及びレール２２３を有しており、表示パネル２２２は、液晶パネルでもって構成されて、盤本体２２１の中央穴部に嵌装されている。また、レール２２３は、遊技球（図示しない）を盤本体２２１の盤面２２１ａに沿い案内するためのもので、このレール２２３は、盤本体２２１の盤面２２１ａにその外周部に沿い設けられている。
【００５５】
また、当該遊技盤２２０は、図２にて例示するごとく、多数の釘２２４、複数の入賞口２２５や複数の風車２２６等を有しており、これら多数の釘２２４、複数の入賞口２２５や複数の風車２２６は、盤本体２２１にその盤面２２１ａ上に分散して取り付けられている。本実施形態では、多数の釘２２４の一部は、図２にて例示するごとく、盤本体２２１の盤面２２１ａのうちその左端近傍に設けられている。なお、図２では、釘２２４、入賞口２２５や風車２２６は、便宜上、それぞれ、一部のみ示されている。
【００５６】
遊技球発射装置２３０は、図２にて示すごとく、発射ハンドル２３１及び発射機構２３２を有しており、発射ハンドル２３１は、下皿２４０と共に、板状本体枠２１０の幅広状下縁部の下側部位に設けられている。また、発射機構２３２は、板状本体枠２１０の幅広状下縁部の上側部位に設けられて、発射ハンドル２３１の操作に伴い遊技球を盤面２２１ａに沿いレール２２３を介して発射するようになっている。
【００５７】
前扉３００は、板状前枠３１０と、窓ガラスユニット３２０とを備えており、当該前扉３００は、板状前枠３１０の左側縁部にて、上下両側ヒンジ装置４００、５００により、板状本体枠２１０の左側縁部に前後方向に開閉可能となるように枢支されている。
【００５８】
板状前枠３１０は、その中央部にて、窓ガラスユニット３２０のための円形状中央穴部３１１を形成してなるもので、当該板状前枠３１０の下部には、上皿３１２が前方へ突設されている。
【００５９】
窓ガラスユニット３２０は、板状前枠３１０の中央穴部３１１に対向するように、当該板状前枠３１０にその裏側から３つの固定装置Ｌ１〜Ｌ３（後述する）により固定されている。当該窓ガラスユニット３２０は、金属製或いは合成樹脂製のユニット枠３２０ａと、二層の円形状ガラス板３２０ｂとを有している。ユニット枠３２０ａは、円環状枠部３２１と、この枠部３２１の上側部位から左右方向に三角板状に延出する両上側支持片部３２２、３２３と、枠部３２１の下側部位から右方向に三角板状に延出する下側支持片部３２４とを備えている。また、ガラス板３２０ｂは、円環状枠部３２１内に嵌着されている。なお、円形状ガラス板３２０ｂは、二層のものであることに限らず、単層や三層以上のものであってもよい。また、図３にて、符号３２５は、リブを示しており、このリブ３２５は、ユニット枠３２０ａの外周に沿い設けられている。また、リブ３２５の厚さは、各支持片部３２２〜３２４の板厚以下である。
【００６０】
上述した各固定装置Ｌ１〜Ｌ３は、前扉３００に備えられてなるもので、これら各固定装置Ｌ１〜Ｌ３は、図２にて示すごとく、板状前枠３１０の裏面のうち板状本体枠２１０の各突体２１２〜２１４に対する対応部位に設けられている。
【００６１】
固定装置Ｌ１は、図３にて示すごとく、回動部材３３０を有しており、この回動部材３３０は、円柱状基部３３１、板状固定部３３２及び板状摘み部３３３でもって一体的に構成されている。
【００６２】
円柱状基部３３１は、図３にて示すごとく、支持軸３３４により、板状前枠３１０の裏面のうち上側支持片部３２２の直上の裏面部位に回動可能に支持されている。詳細には、支持軸３３４が、その首下部にて、円柱状基部３３１の中心軸穴部に挿通されて、板状前枠３１０の上記直上裏面部位にこれに直交するように嵌着されている。これにより、円柱状基部３３１は、支持軸３３４を中心に回動可能となっている。なお、支持軸３３４は、その頭部３３４ａにて、円柱状基部３３１の先端面中央部に形成した円柱状凹所３３１ａ内に嵌装されている。ここで、支持軸３３４の頭部３３４ａは、円柱状基部３３１の中心軸穴部の内径よりも大きな外径を有する。このため、円柱状基部３３１は支持軸３３４によりその頭部３３４ａにて抜け止めされている。
【００６３】
板状固定部３３２は、円柱状基部３３１の先端外周部から支持軸３３４に直交するように板状前枠３１０の裏面に沿い延出されている。ここで、板状固定部３３２の裏面と板状前枠３１０の上記直上裏面部位との間の間隔は、ユニット枠３２０ａの上側支持片部３２２の厚さにほぼ等しい。
【００６４】
これにより、回動部材３３０が、図３から分かるように、二点鎖線により示す回動端（以下、解放側回動端という）から実線により示す回動端（以下、固定側回動端という）に向けて回動するとき、板状固定部３３２は、上側支持片部３２２の表面に沿い時計方向に回動して当該上側支持片部３２２を板状前枠３１０の裏面との間に挟持固定する。一方、回動部材３３０が、上記固定側回動端から上記解放側回動端に向けて回動するとき、板状固定部３３２は、上側支持片部３２２の表面に沿い反時計方向に回動して当該上側支持片部３２２を固定状態から解放する。
【００６５】
板状摘み部３３３は、図３にて示すごとく、板状固定部３３２の表面から円柱状基部３３１の軸に平行に延出されている。この板状摘み部３３３は、板状固定部３３２の表面に平行な断面内にて長楕円状となるように形成されており、当該板状摘み部３３３の長径及び短径は、長楕円状貫通穴部２１２ａのうちその開口部よりも奥側の部位内に係脱可能にかつ径方向に変位不能に嵌装し得るように設定されている。
【００６６】
また、当該板状摘み部３３３は、図３の二点鎖線で示す位置にあるとき、その長径方向にて、突体２１２の上下方向中間部位に対応する高さに位置し、図３の実線で示す位置にあるとき、突体２１２の長楕円状貫通穴部２１２ａに嵌り込む高さに位置するように、回動部材３３０に形成されている。
【００６７】
また、当該板状摘み部３３３の板状固定部３３２の表面からの延出長さは次のように選定されている。即ち、回動部材３３０が上記解放側回動端にある状態にて前扉３００を閉じるように遊技機本体２００に向けて回動させたとき、板状摘み部３３３がその先端部にて突体２１２の前面のうち長楕円状貫通穴部２１２ａの直上部位に当接して前扉３００の遊技機本体２００に対する完全な閉成を禁止するように、板状摘み部３３３の上記延出長さが選定されている。この選定は、さらに、板状摘み部３３３を指で摘むことで回動部材３３０を回動し易くすることも考慮してなされている。なお、当該板状摘み部３３３の板厚方向は、回動部材３３０の回動方向に相当する。
【００６８】
また、当該固定装置Ｌ１は、図３にて示すごとく、両ストッパー部材３４０、３５０を有しており、ストッパー部材３４０は、上記固定側回動端に位置するときの板状固定部３３２によって係合されるように、ユニット枠３２０ａの上側支持片部３２２の表面に突設されている。これにより、当該ストッパー部材３４０は、回動部材３３０を上記固定側回動端に位置決めし当該固定側回動端よりも時計方向に回動させないように規制する役割を果たす。
【００６９】
また、ストッパー部材３５０は、上記解放側回動端に位置するときの板状固定部３３２によって係合されるように、板状前枠３１０の裏面に突設されている。これにより、当該ストッパー部材３５０は、回動部材３３０を上記解放側回動端に位置決めし当該解放側回動端よりも反時計方向に回動させないように規制する役割を果たす。
【００７０】
残りの各固定装置Ｌ２、Ｌ３も、共に、固定装置Ｌ１と同様の構成を有することから、これら各固定装置Ｌ２、Ｌ３の各構成部材は、固定装置Ｌ１の各対応の構成部材と同一の符号で示されている。
【００７１】
但し、固定装置Ｌ２において、円柱状基部３３１は、支持軸３３４により、板状前枠３１０の裏面のうち上側支持片部３２３の直上裏面部位に回動可能に支持されている。また、両ストッパー部材３４０、３５０は、両上側支持片部３２２、３２３間の中心を基準に、固定装置Ｌ１の両ストッパー部材３４０、３５０とは対称的な位置に位置するように、ユニット枠３２０ａの上側支持片部３２３及び板状前枠３１０の裏面にそれぞれ突設されている。
【００７２】
しかして、固定装置Ｌ２における回動部材３３０の固定側回動端から解放側回動端への時計方向回動は、固定装置Ｌ１における回動部材３３０の固定側回動端から解放側回動端への反時計方向回動に対応する。また、固定装置Ｌ２における回動部材３３０の解放側回動端から固定側回動端への反時計方向回動は、固定装置Ｌ１における回動部材３３０の解放側回動端から固定側回動端への時計方向回動に対応する。
【００７３】
また、固定装置Ｌ３において、円柱状基部３３１は、支持軸３３４により、板状前枠３１０の裏面のうち下側支持片部３２４の直下裏面部位に回動可能に支持されている。また、両ストッパー部材３４０、３５０は、両上下支持片部３２２、３２４間の中心を基準に、固定装置Ｌ１の両ストッパー部材３４０、３５０とは対称的な位置に位置するように、ユニット枠３２０ａの下側支持片部３２４及び板状前枠３１０の裏面にそれぞれ突設されている。
【００７４】
しかして、固定装置Ｌ３における回動部材３３０の固定側回動端から解放側回動端への時計方向回動は、固定装置Ｌ１における回動部材３３０の固定側回動端から解放側回動端への反時計方向回動に対応する。また、固定装置Ｌ３における回動部材３３０の解放側回動端から固定側回動端への反時計方向回動は、固定装置Ｌ１における回動部材３３０の解放側回動端から固定側回動端への時計方向回動に対応する。
【００７５】
上側ヒンジ装置４００は、伸縮型ヒンジ装置として構成されており、この上側ヒンジ装置４００は、図２及び図３にて示すごとく、板状本体枠２１０の左側縁部の前面上端部及び板状前枠３１０の左側縁部の上端面部間に連結されている。当該上側ヒンジ装置４００は、基体４１０、結合部材４２０、両リンク部材４３０、４４０及び圧縮コイルバネ４５０を備えている（図３〜図６参照）。
【００７６】
基体４１０は、図３にて示すごとく、板状本体枠２１０の左側縁部にその前面上端部にて支持されているもので、この基体４１０は、Ｕ字体４１１及び左右両側フランジ４１２、４１３でもって一体的に構成されている。Ｕ字体４１１は、連結壁部４１１ａと、この連結壁部４１１ａの幅方向両端部からＬ字状に延出する左右両側壁部４１１ｂ、４１１ｃとを有しており、左側壁部４１１ｂは、右側壁部４１１ｃよりも所定の長さだけ短く延出するように形成されている。
【００７７】
左側フランジ４１２は、Ｕ字体４１１の左側壁部４１１ｂの延出端部から左方へ屈曲して延出されており、右側フランジ４１３は、Ｕ字体４１１の右側壁部４１１ｃの延出端部から右方へ屈曲して延出されている。ここで、左側フランジ４１２の左側壁部４１１ｂに対する屈曲角度は、上記所定の長さに対応する所定の鋭角（例えば、６０°）に設定され、一方、右側フランジ４１３の右側壁部４１１ｃに対する屈曲角度は、所定の鈍角、即ち（１８０°−上記所定の鋭角）に設定されている。換言すれば、左右両側フランジ４１２、４１３は、左側壁部４１１ｂに対し上記所定の鋭角をなす同一の傾斜面内に位置する。
【００７８】
なお、上記所定の鋭角は、６０°よりも大きな角度或いは小さな角度であってもよい。その際、上記所定の鈍角と上記所定の鋭角との角度の和は、１８０°に設定される。また、左右両側フランジ４１２、４１３を、Ｕ字体４１１とは別体にて準備し、Ｕ字体４１１の左右両側壁部４１１ｂ、４１１ｃから左右両側に屈曲して延出するように当該左右両側壁部４１１ｂ、４１１ｃに接続してもよい。また、左右両側フランジ４１２、４１３は、一般的には、基体４１０を板状本体枠２１０の左側縁部の前面上端部に支持するための左右両側取り付け部材であればよい。従って、左右両側フランジ４１２、４１３、即ち上記左右両側取り付け部材の一方は廃止してもよい。
【００７９】
以上のように構成した基体４１０においては、Ｕ字体４１１が左右両側フランジ４１２、４１３にて複数のネジ４１４の締着でもって板状本体枠２１０の左側縁部にその前面上端部にて支持されている。このような支持状態では、Ｕ字体４１１が、連結壁部４１１ａにて板状本体枠２１０の左側縁部の前面上端部に対向し、左側フランジ４１２を右側フランジ４１３の左側に位置させている。従って、Ｕ字体４１１が、左右両側壁部４１１ｂ、４１１ｃにて、左右両側フランジ４１２、４１３に対し、上記所定の鋭角でもって左側に傾斜するように、板状本体枠２１０の左側縁部の前面上端部に支持されている。
【００８０】
結合部材４２０は、図３にて示すごとく、板状前枠３１０の左側縁部の上端面に支持されているもので、この結合部材４２０は、図３〜図５にて示すごとく、Ｕ字体４２１及び結合片４２２でもって一体的に構成されている。Ｕ字体４２１は、連結壁部４２１ａと、この連結壁部４２１ａの幅方向両端部からＬ字状に延出する左右両側壁部４２１ｂとを有している。結合片４２２は、Ｕ字体４２１の連結壁部４２１ａの上端部からＬ字状に屈曲して左右両側壁部４２１ｂに平行に延出されており、この結合片４２２の延出端部には、貫通穴部４２２ａが形成されている。
【００８１】
このように構成した結合部材４２０においては、結合片４２２がその貫通穴部４２２ａにて、板状前枠３１０の左側縁部の上端面上に上方へ向けて突設してなるピン状上端軸３１３（図３参照）に回動自在に嵌装されている。これにより、結合片４２２が、上端軸３１３を介し板状前枠３１０の左側縁部の上端面に相対回動自在に支持されている。なお、ここにいう相対回動自在とは、板状前枠３１０がその左側縁部の上端面にて上端軸３１３を介し結合片４２２に対し回動自在となっていることをいう。
【００８２】
リンク部材４３０は、図５にて示すごとく、基体４１０に連結されているもので、当該リンク部材４３０は、連結壁部４３１と、この連結壁部４３１の幅方向両端部からＬ字状に延出する左右両側壁部４３２とでもって、Ｕ字体４３０ａを構成するように形成されている。
【００８３】
しかして、Ｕ字体４３０ａは、連結壁部４３１から左右両側壁部４３２を下方に向けて延出させるようにして、左右両側壁部４３２の一側両端部４３２ａにて、基体４１０のＵ字体４１１の左右両側壁部４１１ｂ、４１１ｃにその各上端部にて軸４３４を介し回動自在に連結されている。この連結は、具体的には、軸４３４を、左右両側壁部４３２の一側両端部４３２ａの各貫通穴部（図示しない）及び左右両側壁部４１１ｂ、４１１ｃの各上端部の貫通穴部（図示しない）に挿通抜け止めすることでなされている。
【００８４】
なお、左右両側壁部４３２の一側両端部４３２ａは、図５にて示すごとく、連結壁部４３１に対し鋭角をなすように左右両側壁部４３２から下方へ傾斜している。また、Ｕ字体４３０ａの連結壁部４３１は、リンク部材４３０の時計方向への回動に伴い、その端部４３１ａにてＵ字体４１１の連結壁部４１１ａの上端部に当接することなく、連結壁部４１１ａに対し鋭角にて交叉するように下方に向けて傾斜状に位置するようになっている。
【００８５】
リンク部材４４０は、リンク部材４３０と結合部材４２０との間に相対回動自在に連結されているもので、このリンク部材４４０は、連結壁部４４１と、この連結壁部４４１の幅方向両端部からＬ字状に延出する左右両側壁部４４２とでもって、Ｕ字体４４０ａを構成するように形成されている。
【００８６】
しかして、リンク部材４４０においては、左右両側壁部４４２が、連結壁部４４１から上方へ延出するように位置して、一側両端部４４２ａにて、リンク部材４３０のＵ字体４３０ａの他側両端部４３２ｂに連結軸４４３を介し回動自在に連結されている。なお、連結軸４４３は、リンク部材４３０のＵ字体４３０ａの他側両端部４３２ｂの各貫通穴部（図示しない）及び左右両側壁部４４２の一側両端部４４２ａの各貫通穴部（図示しない）に挿通抜け止めされている。
【００８７】
また、リンク部材４４０においては、左右両側壁部４４２が、その他側両端部４４２ｂにて、結合部材４２０のＵ字体４２１の左右両側壁部４２１ｂに連結軸４４４を介し上下方向に回動自在に連結されている。なお、連結軸４４４は、左右両側壁部４４２の他側両端部４４２ｂの各貫通穴部（図示しない）及び結合部材４２０のＵ字体４２１の左右両側壁部４２１ｂの各貫通穴部（図示しない）に挿通抜け止めされている。また、連結軸４４４は、結合部材４２０に含めた概念としてもよい。
【００８８】
本実施形態では、当該リンク部材４４０は、連結軸４４３を基準とする時計方向への回動により、左右両側壁部４４２にて、リンク部材４３０のＵ字体４３０ａ及び基体４１０のＵ字体４１１を外方から覆うように、左右両側壁部４４２の各対向面の間隔は、リンク部材４３０のＵ字体４３０ａの左右両側壁部４３２の各外面の間隔よりも広く設定されている。
【００８９】
圧縮コイルバネ４５０は、連結軸４４３に巻装されているもので、この圧縮コイルバネ４５０は、その両端部にて、リンク部材４４０の連結壁部４４１の右端部及びＵ字体４３０ａの連結壁部４３１の左端部に係止されている。これにより、圧縮コイルバネ４５０は、リンク部材４４０をリンク部材４３０から離れる方向に向けて連結軸４４３を軸として回動させるように付勢力を発揮する。
【００９０】
また、上側ヒンジ装置４００は、図５及び図６にて示すごとく、ロック機構４６０及びロック部材４７０を備えている。
【００９１】
ロック機構４６０は、図５にて示すごとく、結合部材４２０を、連結軸４４４を介し基体４１０にロックするために、基体４１０のＵ字体４１１に支持されているもので、このロック機構４６０は、Ｕ字体４６１と、圧縮コイルバネ４６２とでもって構成されている。
【００９２】
Ｕ字体４６１は、連結壁部４６１ａと、この連結壁部４６１ａの幅方向両端部の各上側部位からＬ字状に延出してなる左右両側壁部４６１ｂとを備えている。左右両側壁部４６１ｂは、Ｕ字体４１１の左右両側壁部４１１ｂ、４１１ｃの各支持部４３５に軸４６３を介し回動可能に支持されている。
【００９３】
ここで、各支持部４３５は、左右両側壁部４１１ｂ、４１１ｃの各上端部から上方に延出されており、これら各支持部４３５の前側部には、結合部材４２０側の連結軸４４４を収容するための凹部４３５ａが前方に向けて開口形成されている。
【００９４】
また、軸４６３は、各支持部４３５の貫通穴部（図示しない）及びＵ字体４６１の各貫通穴部（図示しない）に挿通抜け止めされている。
【００９５】
また、Ｕ字体４６１は、摘み部４６１ｃ及び両爪部４６１ｄを有しており、摘み部４６１ｃは、右側壁部４６１ｂの上端部から右方へＬ字状に屈曲して延出している。
【００９６】
両爪部４６１ｄは、Ｕ字体４６１の左右両側壁部４６１ｂの各下側部位から前方へ延出形成されている。ここで、両爪部４６１ｄの各下端部には、凹部４６１ｅが下方に向けて開口形成されている。また、両爪部４６１ｄの各前側端面は、連結軸４４４を各凹部４６１ｅ内に案内し易いように円弧状に形成されている。本実施形態では、連結軸４４３の軸芯と両支持部４３５の各凹部４３５ａの中心との間の距離は、連結軸４４３の軸芯と連結軸４４４の軸芯との間の距離と同一に設定されている。
【００９７】
圧縮コイルバネ４６２は、図５にて示すごとく、軸４６３に巻装されており、この圧縮コイルバネ４６２は、その両端部にて、Ｕ字体４６１をＵ字体４１１に向けて反時計方向に付勢するように、Ｕ字体４６１の連結壁部４６１ａの右端部とＵ字体４１１の連結壁部４１１ａの左端部との間に係止されている。これにより、両爪部４６１ｄは、その各凹部４６１ｅにて、両支持部４３５の各凹部４３５ａと同芯的に位置する。
【００９８】
ロック部材４７０は、結合部材４２０を板状前枠３１０の左側縁部の上端面に相対回動自在にロックするために、図６にて示すごとく、結合部材４２０の結合片４２２に回動自在に支持されているもので、このロック部材４７０は、ロック片４７１と、摘み部４７２とでもって構成されている。
【００９９】
ロック片４７１は、その基端部にて、軸４７３を介し結合片４２２の中間部位にその裏面側にて連結されて、結合片４２２に沿い軸４７３を軸として回動自在となっている。また、このロック片４７１の左縁先端部には、略半円状の凹部４７１ａが、上端軸３１３の小径部３１３ａ（図３参照）に外方から係合し得るように左方へ開口して形成されている。
【０１００】
ここで、凹部４７１ａの開口幅は、上端軸３１３のうち小径部３１３ａ以外の外径部３１３ｂの外径よりも小さく、小径部３１３ａの外径よりも大きく形成されている。従って、ロック部材４７０において、ロック片４７１は、凹部４７１ａにより、上端軸３１３の小径部３１３ａに外方から回動自在にかつ軸方向に変位不能に係合することで、上述のように結合部材４２０を板状前枠３１０の左側縁部の上端面に相対回動自在にロックする。
【０１０１】
摘み部４７２は、ロック片４７１の右縁の中間部位から上方へＬ字状に屈曲するように延出されている。
【０１０２】
下側ヒンジ装置５００は、図７にて示すごとく、板状本体枠２１０及び板状前枠３１０の各左側縁部にその各下端部間にて連結されている。当該下側ヒンジ装置５００は、受承部である凹部５０１と、被受承部であるロッド部５０２とでもって構成されている。凹部５０１は、板状本体枠２１０の左側縁部の前面下端部から一体的に前側に板状に突設してなる突設部５０１ａの上面に略円錐状に形成されている。
【０１０３】
ロッド部５０２は、板状前枠３１０の左側縁部の下端面から下方へ延出されており、このロッド部５０２は、凹部５０１内に回動自在にかつ前後左右方向に傾動自在に受承されている。
【０１０４】
以上のように構成した本実施形態において、当該パチンコ遊技機が、図１にて示す状態にあるものとする。このとき、上側ヒンジ装置４００は、図４にて示す状態にある。即ち、連結軸４４４は、ロック機構４６０のＵ字体４６１の各爪部４６１ｄにより、Ｕ字体４１１の両支持部４３５の各凹部４３５ａ内にロックされている。このため、両リンク部材４３０、４４０は、基体４１０に対し折り重なった状態に保持されている。
【０１０５】
また、前扉３００は、上端軸３１３にて、上側ヒンジ装置４００の結合部材４２０により回動自在に支持されており、結合部材４２０は、ロック部材４７０によりそのロック片４７１でもって上端軸３１３にロックされている。また、下側ヒンジ装置５００においては、ロッド部５０２が凹部５０１に対し図７にて示す状態にある。
【０１０６】
このような状態において、前扉３００を遊技機本体２００から前方へ開くと、当該前扉３００は、上端軸３１３及びロッド部５０２を軸として、前方へ回動し、図２にて示す状態となる。
【０１０７】
然る後、上側ヒンジ装置４００のロック機構４６０の摘み部４６１ｃによりＵ字体４６１を圧縮コイルバネ４６２に抗して軸４６３を軸として時計方向に回動させると、両爪部４６１ｄが連結軸４４４から上方へ解離する。
【０１０８】
これに伴い、上側ヒンジ装置４００においては、結合部材４２０が、前扉３００により、その自重のもと、前方へ引っ張られる。ここで、リンク部材４３０は、基体４１０に対し軸４３４を介し回動自在に連結され、リンク部材４４０は、リンク部材４３０及び結合部材４２０に対し各連結軸４４３、４４４を介し回動自在に連結されている。
【０１０９】
このため、上述のような結合部材４２０に対する引張作用のもと、図８にて示すごとく、リンク部材４３０が軸４３４を基準に時計方向に回動するとともに、リンク部材４４０が、圧縮コイルバネ４５０の弾力に抗して、連結軸４４３を基準として反時計方向に回動しリンク部材４３０から解離しながら円滑に前方に向けて変位する。このとき、下側ヒンジ装置５００においては、ロッド部５０２が、凹部５０１内において外側に向けて傾動する。
【０１１０】
ここで、上述のごとく、基体４１０においては、Ｕ字体４１１が、左右両側壁部４１１ｂ、４１１ｃにて、左右両側フランジ４１２、４１３に対し、上記所定の鋭角でもって左側に傾斜するように、板状本体枠２１０の左側縁部の前面上端部に支持されている。また、上述のような上側ヒンジ装置４００の伸長状態においては、結合部材４２０及び両リンク部材４４０、４３０が、直線状に連結された状態にある。
【０１１１】
従って、結合部材４２０及び両リンク部材４４０、４３０は、板状本体枠２１０の左側縁部の前面上端部に対し、上記所定の鋭角でもって左側に傾斜するように前方へ変位する。このことは、上側ヒンジ装置４００が、板状本体枠２１０の左側縁部の前面上端部から前方へ板状本体枠２１０の左側に向けて傾斜するように直線状に伸長することを意味する。
【０１１２】
このため、前扉３００は、下側ヒンジ装置５００を基準に、本体枠２１０の左側縁部から前方かつ左側へ傾斜するように、伸長状態にある上側ヒンジ装置４００を介し、本体枠２１０に支持される。これにより、前扉３００は、その左側縁部にて、遊技機本体２００の左側縁部との間に、図８にて示すごとく、Ｖ字状の間隔を形成する。このことは、特に、遊技盤２２０の左側部位が、Ｖ字状の間隔を介し、前扉３００の左側縁部から大きく離れて位置することを意味する。
【０１１３】
その結果、遊技盤２２０の盤面２２１ａの左側部位やこの左側部位に位置する多数の釘２２４及び風車２２６等の清掃作業が、前扉３００の左側縁部により邪魔されることなく、容易になされ得る。また、上述のように盤面２２１ａの左側部位に位置する多数の釘２２４の調整も、前扉３００の左側縁部により邪魔されることなく、容易になされ得る。
【０１１４】
また、上述のように、前扉３００の左側縁部が、遊技盤２２０の左側部位から大きく離れて位置する。従って、遊技盤２２０をメンテナンスのために本体枠２１０から取り外す際、或いは機種変更による盤面換えのために遊技盤２２０のみを交換する際に、当該遊技盤２２０を前側へ取り外す作業が、前扉３００の左側縁部により邪魔されることなく、容易に行われ得る。また、このように取り外す作業の終了後、遊技盤２２０を本体枠２１０に嵌装するにあたっては、当該遊技盤２２０を、前扉３００の左側縁部により邪魔されることなく、容易に嵌装し得る。
【０１１５】
然る後、前扉３００を閉じるにあたっては、前扉３００をその右側縁部の上端部にて下側ヒンジ装置５００を基準に押動する。すると、上側ヒンジ装置４００においては、結合部材４２０が、基体４１０に向けて押動される。ここで、結合部材４２０とリンク部材４４０とは連結軸４４４を介し回動自在に連結され、リンク部材４３０は、リンク部材４４０及び基体４１０に、連結軸４４３及び軸４３４を介し、回動自在に連結されている。さらに、リンク部材４４０は、リンク部材４３０から離れる方向に、圧縮コイルバネ４５０により付勢されている。
【０１１６】
このため、上述のように、結合部材４２０が基体４１０に向けて押動されると、リンク部材４３０が、圧縮コイルバネ４５０の弾力に抗して、軸４３４を軸として反時計方向に回動し、リンク部材４４０が、連結軸４４３を軸として時計方向に回動し、結合部材４２０が、基体４１０に向けて変位して、リンク部材４４０が、リンク部材４３０を覆う。このことは、上側ヒンジ装置４００が本体枠２１０の左側縁部の前面上端部に向けて短縮していくことを意味する。
【０１１７】
然る後、連結軸４４４が、ロック機構４６０の両爪部４６１ｄに当たると、当該連結軸４４４は、圧縮コイルバネ４６２の弾力に抗して両爪部４６１ｄを時計方向に回動させながら基体４１０の各支持部４３５の凹部４３５ａ内に収容される。これに伴い、両爪部４６１ｄが、圧縮コイルバネ４６２の弾力により反時計方向に回動されて、連結軸４４４を基体４１０の各支持部４３５の凹部４３５ａ内にロックする。
【０１１８】
これにより、前扉３００は、図２に示すごとく、上側ヒンジ装置４００及び下側ヒンジ装置５００により、本体枠２１０に支持される。然る後、前扉３００を本体枠２１０に向けて回動することで、遊技機本体２００は、その前面側から前扉３００により閉成されて、図１にて示す状態となる。
【０１１９】
また、このような状態において、例えば、遊技盤２２０の盤面２２１ａにて遊技球が詰まったときには、上側ヒンジ装置４００がロック機構４６０により連結軸４４４をロックした状態にて、前扉３００を、図２にて示すごとく、遊技機本体２００から開くことで、詰まった遊技球の除去が可能となる。
【０１２０】
また、上述のごとく、遊技盤２２０の左側部位が、Ｖ字状の間隔を介し、前扉３００の左側縁部から大きく離れて位置する。従って、遊技盤２２０の盤面２２１ａを上述のように広くとっても、遊技盤２２０は、前扉３００の左側縁部に邪魔されることなく、本体枠２１０の中央穴部２１１に容易に嵌装され得る。
【０１２１】
また、前扉３００を遊技機本体２００に支持する上下両側ヒンジ装置４００、５００のうち、下側ヒンジ装置５００は、従来のヒンジ装置とは異なり、上述のごとく、ロッド部５０２及びこのロッド部５０２を回動自在かつ傾動自在に受承する凹部５０１という非常に簡単な構成となっている。従って、当該パチンコ遊技機において、前扉３００を遊技機本体２００に開閉可能に支持する下側ヒンジ構造、ひいては、当該パチンコ遊技機の構成が簡単になる。
【０１２２】
また、上側ヒンジ装置４００は、上述のように構成した伸縮型ヒンジ装置で構成されているため、当該伸縮型ヒンジ装置は、結合部材４２０の直線的変位方向への伸長或いは短縮でもって、前扉３００の左側縁部と遊技機本体２００の左側縁部との間に間隙を形成し或いはこの間隙をなくし得る。
【０１２３】
このような作用効果は、上側ヒンジ装置４００を、結合部材４２０、基体４１０、両リンク部材４３０、４４０並びに両連結軸４４３、４４４でもって、本明細書の発明の解決課題の欄にて述べた従来のヒンジ装置とは異なり、一次元的に伸縮する機能を有するように構成することで達成され得る。その結果、当該伸縮型ヒンジ装置は、当該パチンコ遊技機用の上側ヒンジ装置４００として、非常に簡単な構成でもって提供され得る。
【０１２４】
また、本実施形態においては、上述のごとく、各突体２１２〜２１４が、遊技機本体２００の板状本体枠２１０に突出形成され、かつ各固定装置Ｌ１〜Ｌ３が前扉３００の板状前枠３１０の裏面に各突体２１２〜２１４に対応して設けられている。これは以下のような根拠に基づく。
【０１２５】
例えば、特開２００４−６５８５５号公報に開示されている従来のパチンコ遊技機においては、枠体、ガラスユニット及び遊技盤（前扉３００、窓ガラスユニット３２０及び遊技機本体２００に対応）が、それぞれ、片側の側部にて、装置本体にその片側の側部にて各取り付けヒンジにより開閉可能に順次固定されている。
【０１２６】
上述のような従来のパチンコ遊技機では、枠体、ガラスユニット及び遊技盤が装置本体に対し閉成されていても、ガラスユニットが枠体には固定されないことから、ガラスユニットと枠体との間に隙間が発生し易い。また、ガラスユニットをロック部により遊技盤の前面に固定するようになっているものの、このロック部による固定のし忘れが発生すると、ガラスユニットと遊技盤との間にも隙間が発生し易い。なお、当該ロック部による固定が不良であっても、ガラスユニットと遊技盤との間にも隙間が発生し易い。
【０１２７】
その結果、上述のような各隙間を利用した不正行為が遊技者によって行われ易いという不具合がある。
【０１２８】
そこで、本実施形態では、上述のような隙間の発生を利用した不正行為を未然に防止するという解決課題を達成するために、上述のごとく、各突体２１２〜２１４を遊技機本体２００の板状本体枠２１０に突出形成し、かつ各固定装置Ｌ１〜Ｌ３を前扉３００の板状前枠３１０の裏面に各突体２１２〜２１４に対応して設けることとした。
【０１２９】
しかして、窓ガラスユニット３２０が各固定装置Ｌ１〜Ｌ３により板状前枠３１０の裏面に固定されていれば、固定装置Ｌ１においては、回動部材３３０が、図３にて実線により示すごとく、固定側回動端に位置し、板状固定部３３２によって、上側支持片部３２２を板状前枠３１０の裏面に固定している。
【０１３０】
また、固定装置Ｌ２においては、回動部材３３０が、固定側回動端に位置し、板状固定部３３２によって、上側支持片部３２３を板状前枠３１０の裏面に固定するとともに、固定装置Ｌ３においては、回動部材３３０が、固定側回動端に位置し、板状固定部３３２によって、下側支持片部３２４を板状前枠３１０の裏面に固定している。
【０１３１】
従って、窓ガラスユニット３２０は、各支持片部３２２〜３２４にて、各固定装置Ｌ１〜Ｌ３により板状前枠３１０の裏面に固定されている。
【０１３２】
このような固定状態にて、前扉３００をその開状態から遊技機本体２００に向けて閉成すれば、固定装置Ｌ１の回動部材３３０は、板状摘み部３３３にて、突体２１２の長楕円状貫通穴部２１２ａ内に嵌装される。また、固定装置Ｌ２の回動部材３３０は、板状摘み部３３３にて、突体２１３の長楕円状貫通穴部２１３ａ内に嵌装され、かつ固定装置Ｌ３の回動部材３３０は、板状摘み部３３３にて、突体２１４の長楕円状貫通穴部２１４ａ内に嵌装される。
【０１３３】
ここで、各長楕円状貫通穴部２１２ａ〜２１４ａの開口部は、上述のごとく、その開口面から奥側に向けて末すぼまり状となるよう断面傾斜状に形成されている。従って、各板状摘み部３３３は、各長楕円状貫通穴部２１２ａ〜２１４ａ内にその開口部の傾斜状内面により円滑に案内されて、確実に嵌装される。
【０１３４】
また、各板状摘み部３３３の長径及び短径は、上述したごとく、長楕円状貫通穴部２１２ａ、２１３ａ、２１４ａの各々のうちその開口部よりも奥側の部位内に係脱可能にかつ径方向に変位不能に嵌装し得るように設定されている。従って、各回動部材３３０は、各板状摘み部３３３でもって、各長楕円状貫通穴部２１２ａ、２１３ａ、２１４ａ内に径方向に変位不能に保持され得る。その結果、各板状摘み部３３３を各長楕円状貫通穴部２１２ａ、２１３ａ、２１４ａ内にしっかりと保持しつつ、前扉３００は、遊技機本体２００に完全に閉成され得る。
【０１３５】
このような状態では、上述のごとく、窓ガラスユニット３２０が各固定装置Ｌ１〜Ｌ３により板状前枠３１０の裏面にしっかりと固定されているので、窓ガラスユニット３２０の前面と板状前枠３１０の中央穴部３１１との接合面の間に隙間が生じることがない。従って、上述のような隙間を利用した不正行為が未然に防止され得る。
【０１３６】
また、上述のように固定されている窓ガラスユニット３２０をそのメンテナンスのために取り外す場合には、各固定装置Ｌ１〜Ｌ３の回動部材３３０を、その摘み部３３３を摘んで解放側回動端に向けて回動させる。これに伴い、窓ガラスユニット３２０は、各支持片部３２２〜３２４にて、板状前枠３１０の裏面に対する固定から解放される。
【０１３７】
このように解放した窓ガラスユニット３２０に清掃等のメンテナンスを施した後、当該窓ガラスユニット３２０を板状前枠３１０にその裏面側から固定するにあたり、この固定は、次のようにして行う。
【０１３８】
即ち、各固定装置Ｌ１〜Ｌ３の回動部材３３０をその摘み部３３３により固定側回動端に向けて回動させる。これに伴い、各回動部材３３０は、窓ガラスユニット３２０の各支持片部３２２〜３２４の表面に沿い回動して、当該各支持片部３２２〜３２４を板状前枠３１０の裏面に固定する。これにより、窓ガラスユニット３２０は、各固定装置Ｌ１〜Ｌ３により、板状前枠３１０の裏面にしっかりと固定される。
【０１３９】
ここで、各ストッパー部材３４０は、各対応の回動部材３３０の固定側回動端に対応して設けられているので、各回動部材３３０を、各対応のストッパー部材３４０に当接するまで回動しさえすれば、各回動部材３３０は上記各固定側回動端に維持され得る。
【０１４０】
然る後は、上述と同様に、前扉３００を遊技機本体２００に向けて閉成することで、当該前扉３００は、完全に遊技機本体２００に閉成され得る。
【０１４１】
また、上述のように窓ガラスユニット３２０を板状前枠３１０の裏面に固定するにあたり、各固定装置Ｌ１〜Ｌ３のいずれかによる固定のし忘れがあると、前扉３００は遊技機本体２００に対し完全には閉成されない。
【０１４２】
例えば、固定装置Ｌ１の回動部材３３０が解放側回動端にある状態にて、前扉３００は遊技機本体２００に向けて閉成すると、当該固定装置Ｌ１の回動部材３３０は、摘み部３３３の先端部にて、突体２１２の前面のうち長楕円状貫通穴部２１２ａの直上部位に当接する。従って、前扉３００の遊技機本体２００に対する完全な閉成が禁止される。
【０１４３】
このため、上述のような窓ガラスユニット３２０が、そのメンテナンス後に、板状前枠３１０の裏面に固定される際に、各固定装置Ｌ１〜Ｌ３、例えば、固定装置Ｌ１による固定のし忘れが確実に視認され得る。その結果、各固定装置Ｌ１〜Ｌ３のいずれによる固定のし忘れが確実に防止され、この固定し忘れに起因する窓ガラスユニット３２０と前扉３００との間の隙間を利用した不正行為が未然に防止され得る。
【０１４４】
なお、本発明の実施にあたり、上記実施形態に限ることなく、次のような種々の変形例が挙げられる。
（１）リンク部材４３０が軸４３４を軸として時計方向へ回動する際、Ｕ字体４３０ａの連結壁部４３１は、基体４１０のＵ字体４１１の連結壁部４１１ａの上端部に当接するように形成されてもよい。
（２）リンク部材４３０は、Ｕ字体４３０ａの他側両端部４３２ｂから板状に外方に延出する両延出片を有していてもよい。この場合、リンク部材４４０の連結軸４４３を基準とする時計方向への回動の際に、リンク部材４４０の連結壁部４４１の右端部に係合して当該回動を所望の角度に制限するように、当該両延出片は他側両端部４３２ｂから延出されている。
（３）結合部材４２０は、上記実施形態にて述べた構成に限ることなく、次のように変形してもよい。
【０１４５】
即ち、結合部材４２０において、結合片４２２の貫通穴部４２２ａに対する対応部から下方に向けてロッド等の軸を延出させるとともに、貫通穴部４２２ａを廃止する。これに伴い、前扉３００においては、板状前枠３１０の左側縁部の上端面のうち上記上端軸３１３に対する対応部に貫通穴部を形成するとともに上端軸３１３を廃止する。
【０１４６】
そして、結合片４２２の上記ロッド等の軸を板状前枠３１０の左側縁部の上記貫通穴部に下方に向けて挿通することで、結合部材４２０を前扉３００に対し相対回動自在に連結するようにしてもよい。
【０１４７】
また、上述のように結合片４２２の貫通穴部４２２ａに対する対応部から下方に向けてロッドを延出させるのではなく、当該ロッドを、結合片４２２の貫通穴部４２２ａに対する対応部から上方に向けて延出させ、板状前枠３１０の左側縁部の上記貫通穴部にその下方から上方に向けて挿通することで、結合部材４２０を前扉３００に対し相対回動自在に連結するようにしてもよい。
（４）板状前枠３１０の上端軸３１３は、上記実施形態にて述べた構成に限ることなく、次のように変形してもよい。
【０１４８】
即ち、当該上端軸３１３を、板状前枠３１０の左側縁部の上端面から下方に向けて突設させるように変形し、このように変形した上端軸を、板状前枠３１０の左側縁部の上端面の下側にて結合片４２２の貫通穴部４２２ａに下方に向け挿通することで、結合部材４２０を前扉３００に対し相対回動自在に連結するようにしてもよい。
（５）ロック部材４７０は、上記実施形態とは異なり、ロック片４７１にて、結合片４２２の中間部位にその上面側にて回動自在に連結されてもよい。この場合、摘み部４７２は、ロック片４７１の右縁の中間部位から下方へＬ字状に屈曲するように延出される。
（６）ロック機構４６０は、上記実施形態にて述べたごとく、結合部材４２０を、連結軸４４４を介し、基体４１０にロックするように構成されているが、これに限ることなく、ロック機構４６０は、結合部材４２０を、リンク部材４４０の他側両端部４４２ｂを介し基体４１０にロックするように構成してもよい。この場合、リンク部材４４０の他側両端部４４２ｂから互いに近づく方向にＬ字状に各突起を延出形成し、これら各突起を介し結合部材４２０を基体４１０にロックするようにしてもよい。
（７）一対のコイルバネを、圧縮コイルバネ４５０に代えて採用し、連結軸４４３の両端部に巻装して、当該一対のコイルバネの一方を、その両端部にて、リンク部材４４０の連結壁部４４１の右端部及びＵ字体４３０ａの連結壁部４３１の右端部に係止し、他方のコイルバネを、その両端部にて、リンク部材４４０の連結壁部４４１の左端部及びＵ字体４３０ａの連結壁部４３１の左端部に係止するようにしてもよい。
（８）ロック機構４６０において、両爪部４６１ｄは、その少なくとも一方を廃止してもよい。また、両爪部４６１ｄに対し、さらに、例えば、１つの爪部を追加してもよい。この場合、追加の爪部は、Ｕ字体４６１の連結壁部４６１ａの左右方向中央部から両爪部４６１ｄの間にこれらに平行に延出するように設けてもよい。
（９）ロック機構４６０において、一対のコイルバネを、圧縮コイルバネ４６２に代えて採用し、軸４６３の両端部に巻装して、当該一対のコイルバネの一方を、その両端部にて、Ｕ字体４６１の連結壁部４６１ａの右端部とＵ字体４１１の連結壁部４１１ａの右端部に係止し、他方のコイルバネを、その両端部にて、Ｕ字体４６１の連結壁部４６１ａの左端部とＵ字体４１１の連結壁部４１１ａの左端部に係止するようにしてもよい。
（１０）下側ヒンジ装置５００において、ロッド部５０２を、凹部５０１の底部を基準にして、回動自在にかつ前後左右方向に傾動可能に当該凹部５０１内に受承し得る形状であれば、凹部５０１は、略円錐形状に限ることなく、どのような形状であってもよい。
（１１）下側ヒンジ装置５００は、上記実施形態にて述べた構成に限ることなく、突設部５０１ａに向けて開口するように凹部を板状前枠３１０の一側縁部の下端面に被受承部として形成し、突設部５０１ａから上記凹部に向けて延出されて当該凹部を回動可能にかつ傾動可能に受承するロッド部を受承部として備えるようにしてもよい。
【０１４９】
なお、上述のように板状前枠３１０の一側縁部の下端面に形成した凹部に代えて当該下端面に貫通穴部を上記ロッド部の外径よりも大きな内径を有するように形成し、一方、上記ロッド部の軸方向中間部位に鍔部を設けるようにして、当該ロッド部のうち上記鍔部よりも上方へ突出する部分を上記貫通穴部に挿通し、かつ上記鍔部によりその上面にて上記貫通穴部をその下方から回動可能にかつ傾動可能に受承するようにしてもよい。但し、上記鍔部の上面は、その外周縁部からロッド部の軸心に向けて上方へ末すぼまり状にかつ上に突な形状にて湾曲するようにして形成されている。
（１２）ユニット枠３２０ａにおいて、円環状枠部３２１のうち上記各支持片部３２２〜３２４に対する各対応部位に、円環状枠部３２１の内側に向けて凹状に湾曲する凹状湾曲部をそれぞれ形成するとともに各支持片部３２２〜３２４及びストッパー部材３４０を廃止するようにしてもよい。これによれば、各固定装置Ｌ１〜Ｌ３の回動部材３３０は、板状固定部３３２にて、各対応の上記凹状湾曲部内に外方から係合したとき、上記実施形態にて述べた固定側回動端に位置することとなる。これにより、ユニット枠３２０ａは上記実施形態にて述べたと同様に各固定装置Ｌ１〜Ｌ３により支持され得る。
（１３）各固定装置Ｌ１〜Ｌ３は、３つであることに限らず、ユニット枠３２０ａの各支持片部の数にあわせて、１つ、２つ及び４つ以上のいずれかであってもよい。その際、各固定装置Ｌ１〜Ｌ３に対応する３つの突体２１２〜２１４のごとく、各固定装置それぞれに対応する突体を板状本体枠２１０の適所に設けるようにしてもよい。
（１４）各固定装置Ｌ１〜Ｌ３において、回動部材３３０は、摘み部３３３に加えて、突起を板状固定部３３２の表面から突出させて、この突起でもって、摘み部３３３に代えて、前扉３００の閉成を禁止或いは許容するようにしてもよい。この場合、各突体２１２〜２１４は、上記各突起に対応する位置にて、各長楕円状貫通穴部２１２ａ〜２１４ａを形成する。なお、摘み部３３３は、上記突起よりも、低いものとし、回動部材３３０の回動操作のための構成部材としての役割を果たす。また、摘み部３３３は、長楕円形状に限ることなく、例えば、四角板形状、円板形状或いは十字板形状であってもよい。この場合、各長楕円状貫通穴部２１２ａ〜２１４ａは、摘み部３３３を係脱可能にかつ径方向に変位不能に嵌装し得るように形成される。
（１５）遊技機本体２００において、上記実施形態とは異なり、板状本体枠２１０の中央穴部２１１及び遊技盤２２０の盤本体２２１を共に四角形状に形成して、四角形状の盤本体２２１を板状本体枠２１０の四角形状の中央穴部２１１に前側から嵌装するようにしてもよい。なお、盤本体２２１の四角状の盤面にレール２２３を設けることで、レール２２３の外側にて盤本体２２１の盤面に形成される４つの隅角部は、それぞれ、略三角形状となっている。
【０１５０】
そして、各突体２１２〜２１４を、盤本体２２１の盤面２２１ａの４つの隅角部のうち左右上側の両隅角部及び左下側の隅角部（各固定装置Ｌ１〜Ｌ３に対応する）に形成するようにしてもよい。
【０１５１】
また、このような変形例に代えて、上述した盤本体２２１の盤面２２１ａの左右上側の両隅角部及び左下側の隅角部を、その前面にて、各突体２１２〜２１４の前面と同一の面まで突出するように形成し、かつ上記左右上側の両隅角部及び左下側の隅角部に対し、各突体２１２〜２１４の長楕円状貫通穴部２１２ａ〜２１４ａに対応する位置にて長楕円状貫通穴部を形成するようにしてもよい。
【０１５２】
これによれば、各突体２１２〜２１４を廃止し得るのは勿論のこと、各固定装置Ｌ１〜Ｌ３の回動部材３３０が固定側回動端に位置するとき、各回動部材３３０は、摘み部３３３にて、上記左右上側の両隅角部及び左下側の隅角部の各長楕円状貫通穴部に嵌装され、回動部材３３０が解放側回動端に位置するとき、各回動部材３３０は、摘み部３３３にて、上記左右上側の両隅角部及び左下側の隅角部の各前面に当接して前扉３００の完全な閉成を禁止する。
（１６）各固定装置Ｌ１〜Ｌ３は、上記実施形態にて述べた構成に限ることなく、次のように変形してもよい。例えば、固定装置Ｌ１において、回動部材３３０の構成を次のように変形する。即ち、板状固定部３３２を円柱状基部３３１とは別体で形成し、かつ板状固定部３３２の幅方向中央部に、その長手方向に沿い、長手状の案内溝部を、円柱状凹所３３１ａの内径に相当する幅でもって形成する。また、支持軸３３４の頭部３３４ａを板状固定部３３２の上記案内溝部内にてその長手方向に沿ってのみ変位させ得るように、長方形板状に形成する。なお、円柱状基部３３１は、板状前枠３１０の上記直上裏面部位に回動不能に固定されている。
【０１５３】
しかして、支持軸３３４の長方形板状の頭部を板状固定部３３２の上記案内溝部内に嵌装すれば、板状固定部３３２は、円柱状基部３３１の先端面に沿い図３にて図示上下方向に変位可能に、支持軸３３４の長方形板状の頭部に支持される。
【０１５４】
従って、板状固定部３３２が図３にて図示実線の位置（固定側変位端）にあるとき、板状摘み部３３３は、突体２１２の長楕円状貫通穴部２１２ａに嵌り込む高さに位置する。また、板状固定部３３２が上記案内溝部にて支持軸３３４の長方形板状の頭部に沿い上方へ直線状に変位して上側支持片部３２２の表面から外れた位置（解放側変位端）にあるとき、板状摘み部３３３がその先端部にて突体２１２の前面のうち長楕円状貫通穴部２１２ａの直上部位に当接して前扉３００の遊技機本体２００に対する完全な閉成を禁止する。なお、両ストッパー部材３４０、３５０は廃止してもよい。
【０１５５】
また、このような変形例において、円柱状基部３３１に代えて、両案内レールを、板状前枠３１０の上記直上裏面部位に上下方向に互いに平行に設けて、当該両案内レールによって、板状固定部３３２を、上記固定側変位端と上記解放側変位端との間にて、上下方向に直線状に変位し得るように支持してもよい。また、固定装置Ｌ１において、回動部材３３０の固定側回動端及び固定側変位端は、固定位置として把握し、回動部材３３０の解放側回動端及び解放側変位端は、解放位置として把握してもよい。
（１７）本発明は、パチンコ遊技機に限ることなく、アレンジボール機や雀球機に適用してもよい。
【図面の簡単な説明】
【０１５６】
【図１】本発明が適用されるパチンコ遊技機の一実施形態を示す概略正面図である。
【図２】図１の前扉を開成するときのパチンコ遊技機の斜視図である。
【図３】前扉を開成するときの短縮状態における上側ヒンジ装置と遊技機本体及び前扉との関係を示す部分斜視図である。
【図４】図２の上側ヒンジ装置の短縮状態を示す詳細斜視図である。
【図５】図２の上側ヒンジ装置の伸長状態を示す詳細斜視図である。
【図６】図４及び図５のロック部材の詳細形状を示す上面図である。
【図７】図１の下側ヒンジ装置の概略を示す断面図である。
【図８】前扉を開成するときの伸長状態における上側ヒンジ装置と遊技機本体及び前扉との関係を示す部分斜視図である。
【符号の説明】
【０１５７】
Ｌ１〜Ｌ３…固定装置、２００…遊技機本体、２１０…板状本体枠、
２１２〜２１４…長楕円状貫通穴部、２１２ａ〜２１４ａ…長穴、２２０…遊技盤、
２２１…盤本体、２２１ａ…盤面、２２４…多数の釘、２２６…風車、３００…前扉、
３１０…板状前枠、３１１…円形状中央穴部、３１３…上端軸、３１３ａ…小径部、
３２０…窓ガラスユニット、３２０ａ…ユニット枠、３２０ｂ…ガラス板、
３２２、３２３…上側支持片部、３２４…下側支持片部、３３０…回動部材、
３３１…円柱状基部、３３２…板状固定部、３３３、４６１ｃ、４７２…摘み部、
３４０、３５０…ストッパー部材、４００…上側ヒンジ装置、４１０…基体、
４１１、４２１、４３０ａ、４４０ａ、４６１…Ｕ字体、
４１１ａ、４２１ａ、４３１ａ、４４１、４６１ａ…連結壁部、
４１１ｂ、４１１ｃ、４２１ｂ、４３１ｂ、４４２、４６１ｂ…左右両側壁部、
４１２…左側フランジ、４１３…右側フランジ、４２０…結合部材、４２２…結合片、
４２２ａ…貫通穴部、４３０、４４０…リンク部材、４４３、４４４…連結軸、
４３５…支持部、４３５ａ、４６１ｅ、４７１ａ、５０１…凹部、
４５０、４６２…圧縮コイルバネ、４６０…ロック機構、４６１ｄ…爪部、
４６３…軸、４７０…ロック部材、４７１…ロック片、５００…下側ヒンジ装置、
５０１ａ…突設部、５０２…ロッド。
【図１】
2008049001.tif 000003
【図２】
2008049001.tif 000004
【図３】
2008049001.tif 000005
【図４】
2008049001.tif 000006
【図５】
2008049001.tif 000007
【図６】
2008049001.tif 000008
【図７】
2008049001.tif 000009
【図８】
2008049001.tif 000010